(57)【特許請求の範囲】
【請求項１】
槽体に設けられた排水口と、
排水口内に配置されて上下動することで該排水口の開閉を行う弁部材と、
弁部材の開閉操作を行う、槽体の側面に配置される操作部と、
操作部に加えられた操作を弁部材に伝達するレリースワイヤと、からなる遠隔操作式排水栓装置において、
上記操作部は、
槽体の内面に沿って直線方向に摺動可能に配置されたスイッチ部と、
弁部材の上昇状態又は下降状態を保持するロック機構を備え、
上記ロック機構は、槽体の内側に配置され、
上記レリースワイヤの端部がロック機構下端よりも上方に配置されていることを特徴とする遠隔操作式排水栓装置。
【請求項２】
槽体に設けられた排水口と、
排水口内に配置されて上下動することで該排水口の開閉を行う弁部材と、
弁部材の開閉操作を行う、槽体の側面に配置される操作部と、
操作部に加えられた操作を弁部材に伝達するレリースワイヤと、からなる遠隔操作式排水栓装置において、
上記操作部は、
槽体の内面に沿って摺動可能に配置されたスイッチ部と、
弁部材の上昇状態又は下降状態を保持するロック機構を備え、
上記スイッチ部は上下方向に摺動するとともに槽体の内側に突出し、
上記ロック機構は、スイッチ部の突出部分に配置されていることを特徴とする遠隔操作式排水栓装置。
【請求項３】
上記ロック機構はスイッチ部の操作によって動作するロック軸を有し、
当該ロック軸の軸方向はスイッチ部の摺動方向と略同一であることを特徴とする請求項１又は請求項２に記載の遠隔操作式排水栓装置。
【請求項４】
槽体に設けられた排水口と、
排水口内に配置されて上下動することで該排水口の開閉を行う弁部材と、
弁部材の開閉操作を行う、槽体の側面に配置される操作部と、
操作部に加えられた操作を弁部材に伝達するレリースワイヤと、からなる遠隔操作式排水栓装置において、
上記操作部は、
槽体の内面に沿って摺動可能に配置されたスイッチ部と、
弁部材の上昇状態又は下降状態を保持するロック機構を備え、
上記ロック機構は、槽体の内側に配置され、
上記ロック機構はスイッチ部の操作によって動作するロック軸を有し、
当該ロック軸の軸方向はスイッチ部の摺動方向と略同一であって、
筒状のロック軸の軸方向と、レリースワイヤの操作部側端部の軸方向が略平行であって、当該ロック軸とレリースワイヤの操作部側端部の中心軸が異なる位置に配置されていることを特徴とする遠隔操作式排水栓装置。
【請求項５】
上記レリースワイヤは、槽体の外側に配置されていることを特徴とする請求項１乃至請求項４のいずれか１つに記載の遠隔操作式排水栓装置。
【請求項６】
上記スイッチ部は、レリースワイヤ及びロック機構と当接し、押動操作によってレリースワイヤとロック機構を可動させることを特徴とする請求項１乃至請求項５のいずれか１つに記載の遠隔操作式排水栓装置。
【発明の詳細な説明】
【技術分野】
【０００１】
本発明は、槽体に配置された弁部材を作動させる遠隔操作式排水栓装置に関するものである。
【背景技術】
【０００２】
従来の遠隔操作式排水栓装置として、槽体の底部に形成された排水口を開閉する弁部材、弁部材を昇降操作する操作部、操作部の操作を弁部材に伝達するレリースワイヤ、弁部材の昇降状態を保持するロック機構より構成されているものが知られている。
弁部材は周囲にパッキンが嵌着されており、当該パッキンが排水口の周縁と水密に当接することによって槽体内に湯水を貯留することが可能となる。
操作部は使用者が触れるスイッチ部を備えており、スイッチ部は槽体の天面、槽体の側面や壁面等、様々な場所に配置され、使用者が当該スイッチ部を操作することで、直接弁部材に触れることなく排水口を開閉することが可能となっている。
レリースワイヤは樹脂製の筒体であるアウターチューブと、金属の撚り線であるインナーワイヤより成り、スイッチ部に加えられた押動操作によってインナーワイヤがアウターチューブ内を摺動し、弁部材を突き上げることで排水口の開閉を行う構造となっている。
ロック機構は内部に回転ギア、固定ギアを備え、回転ギアと固定ギアの噛合によって弁部材の上昇状態又は下降状態を保持する機構である。
【０００３】
ここで、上記遠隔操作式排水栓装置において、スイッチ部が槽体の側面や壁面に配置されている場合、以下のような問題あった。
例えば、槽体が浴槽である場合、浴槽裏側には浴室の内壁が存在し、槽体がキッチンシンクや洗面ボウルである場合、シンクやボウル裏側にはキャビネットの内壁が存在することから、槽体裏側には十分な空間が存在しない。従って、スイッチ部端部と連結されたレリースワイヤは、上記狭い空間内において排水口（弁部材）へ向けて急激に曲げられて施工される。この時、金属の撚り線からなるインナーワイヤはあまりにも小さな曲げ半径で屈曲されると作動不良や破損の恐れがある。
【０００４】
特許文献１に記載の遠隔操作式排水栓装置においては、ロック機構が槽体の内側に配置されることによって、レリースワイヤ曲げ半径を大きくすることで上記作動不良や破損を防いでいる。
【０００５】
又、特許文献２に記載の遠隔操作式排水栓装置においては、スイッチ部が上下方向に摺動可能に配置されるとともに、レリースワイヤ端部が上下方向に配置され、レリースワイヤを曲げることなく施工可能とすることによって上記作動不良や破損を防いでいる。
【先行技術文献】
【特許文献】
【０００６】
【特許文献１】特開２００５-１３３３３１号公報
【特許文献２】特開２０１４-１６７２５１号公報
【発明の概要】
【発明が解決しようとする課題】
【０００７】
上記従来の遠隔操作式排水栓装置は、レリースワイヤの作動不良や破損を防ぐための構造を備えているものの、以下の問題を有している。
【０００８】
上記特許文献１に記載の遠隔操作式排水栓装置は、ロック機構が槽体の内側に配置されていることから、スイッチ部及びロック機構が槽体内側に大きく突出しており、意匠性が悪い。又、槽体が浴槽である場合において、槽体の側面は入浴者の背中が当接する部分であり、スイッチ部が槽体の内側に大きく突出する場合、快適な入浴が困難となる。更に、レリースワイヤは依然として狭い空間内で曲げられることから、作動不良や破損を完全に防ぐことはできていない。
【０００９】
一方、上記特許文献２に記載の遠隔操作式排水栓装置においては、レリースワイヤ端部が上下方向に配置されていることから、狭い空間内で曲げられることによる破損は生じない。しかし、ロック機構が排水流路内に配置されているため、排水口側の排水がロック機構によって妨げられて排水流量が低下してしまっていた。尚、ロック機構をレリースワイヤのスイッチ部側端部に配置したとしても、やはりロック機構によってオーバーフロー流路の排水流量が低下してしまう。又、ロック機構をレリースワイヤのスイッチ部側端部に配置した場合には、ギア等が内蔵されたロック機構をオーバーフロー排水口から取り出すことは困難であり、メンテナンスが煩雑となっていた。
【００１０】
本発明は上記問題に鑑み発明されたものであって、レリースワイヤの動作不良や破損を防ぐと共に、容易にメンテナンスが可能な遠隔操作式排水栓装置の提供を目的とする。
【課題を解決するための手段】
【００１１】
請求項１に記載の本発明は、槽体に設けられた排水口と、
排水口内に配置されて上下動することで該排水口の開閉を行う弁部材と、
弁部材の開閉操作を行う、槽体の側面に配置される操作部と、
操作部に加えられた操作を弁部材に伝達するレリースワイヤと、からなる遠隔操作式排水栓装置において、
上記操作部は、
槽体の内面に沿って直線方向に摺動可能に配置されたスイッチ部と、
弁部材の上昇状態又は下降状態を保持するロック機構を備え、
上記ロック機構は、槽体の内側に配置され、
上記レリースワイヤの端部がロック機構下端よりも上方に配置されていることを特徴とする遠隔操作式排水栓装置である。
【００１２】
請求項２に記載の本発明は、 槽体に設けられた排水口と、
排水口内に配置されて上下動することで該排水口の開閉を行う弁部材と、
弁部材の開閉操作を行う、槽体の側面に配置される操作部と、
操作部に加えられた操作を弁部材に伝達するレリースワイヤと、からなる遠隔操作式排水栓装置において、
上記操作部は、
槽体の内面に沿って摺動可能に配置されたスイッチ部と、
弁部材の上昇状態又は下降状態を保持するロック機構を備え、
上記スイッチ部は上下方向に摺動するとともに槽体の内側に突出し、
上記ロック機構は、スイッチ部の突出部分に配置されていることを特徴とする遠隔操作式排水栓装置である。
【００１３】
請求項３に記載の本発明は、 上記ロック機構はスイッチ部の操作によって動作するロック軸を有し、
当該ロック軸の軸方向はスイッチ部の摺動方向と略同一であることを特徴とする請求項１又は請求項２に記載の遠隔操作式排水栓装置である。
【００１４】
請求項４に記載の本発明は、槽体に設けられた排水口と、
排水口内に配置されて上下動することで該排水口の開閉を行う弁部材と、
弁部材の開閉操作を行う、槽体の側面に配置される操作部と、
操作部に加えられた操作を弁部材に伝達するレリースワイヤと、からなる遠隔操作式排水栓装置において、
上記操作部は、
槽体の内面に沿って摺動可能に配置されたスイッチ部と、
弁部材の上昇状態又は下降状態を保持するロック機構を備え、
上記ロック機構は、槽体の内側に配置され、
上記ロック機構はスイッチ部の操作によって動作するロック軸を有し、
当該ロック軸の軸方向はスイッチ部の摺動方向と略同一であって、
筒状のロック軸の軸方向と、レリースワイヤの操作部側端部の軸方向が略平行であって、当該ロック軸とレリースワイヤの操作部側端部の中心軸が異なる位置に配置されていることを特徴とする遠隔操作式排水栓装置である。
【００１５】
請求項５に記載の本発明は、上記レリースワイヤは、槽体の外側に配置されていることを特徴とする請求項１乃至請求項４のいずれか１つに記載の遠隔操作式排水栓装置である。
【００１６】
請求項６に記載の本発明は、上記スイッチ部は、レリースワイヤ及びロック機構と当接し、押動操作によってレリースワイヤとロック機構を可動させることを特徴とする請求項１乃至請求項５のいずれか１つに記載の遠隔操作式排水栓装置である。
【発明の効果】
【００１７】
請求項１、請求項２、請求項４に記載の本発明によれば、ロック機構が槽体の内側に配置されていることにより、容易にメンテナンスを行うことが可能となる。又、本発明がオーバーフロー流路を有する槽体に取り付けられる場合、オーバーフロー流路内にロック機構が配置されることによるオーバーフロー流の排水流量の低下を防ぐことができる。又、請求項２に記載の本発明によれば、スイッチ部の突出部分にロック機構が収納されていることにより、ロック機構が外部に露出せず意匠性に優れるとともに、槽体内側への突出量を低減することが可能となる。
請求項２及び請求項３に記載の本発明によれば、ロック軸の軸方向とスイッチ部の摺動方向が共に上下方向であり、互いに略同一方向であるため、ロック機構が槽体の内側に配置されていても、操作部の槽体内側への突出幅を短くすることができる。又、請求項４に記載の本発明のように、ロック軸の軸方向とレリースワイヤの操作部側端部の軸方向が略平行且つその中心軸が異なる位置に配置されている場合、レリースワイヤを狭い空間内で曲げることによる破損を防ぐことができる。
請求項５に記載の本発明によれば、ロック機構がレリースワイヤとは直接接続されていないため、ロック機構のみ、又はレリースワイヤのみを取り外すことができ、メンテナンス性に優れている。
請求項６に記載の本発明によれば、押動操作によってスイッチ部がレリースワイヤ及びロック機構を可動させることが可能になる。
【図面の簡単な説明】
【００１８】
【図１】本発明の施工状態を示す断面図である。
【図２】操作部の拡大断面図である。
【図３】操作部の構成を示す分解図である。
【図４】スイッチ部及び補助部材を示す正面図であって、（ａ）弁部材が下降状態にある時の位置関係を示す正面図（ｂ）弁部材が上昇状態にある時の位置関係を示す正面図である。
【図５】ロック機構を示す斜視図である。
【図６】補助部材を示す（ａ）正面図（ｂ）底面図である。
【図７】遠隔操作式排水栓装置の施工手順を示す断面図である。
【図８】遠隔操作式排水栓装置の施工手順を示す断面図である。
【図９】遠隔操作式排水栓装置の施工手順を示す断面図である。
【図１０】弁部材の上昇状態を示す断面図である。
【図１１】第二実施形態の施工状態を示す断面図である。
【図１２】弁部材の上昇状態を示す断面図である。
【図１３】第三実施形態を示す断面図である。
【図１４】第四実施形態を示す断面図である。
【発明を実施するための形態】
【００１９】
以下に、本発明の止水構造を、図面を参照しつつ説明する。尚、以下に記載する説明は実施形態の理解を容易にするものであり、これによって本発明が制限して理解されるものではない。又、以下の実施形態においては、特に断りの無い限り図１に示す施工状態を基準として上下左右及び部材同士の位置関係を説明する。
【００２０】
本実施形態は図１乃至図１０に示すように、槽体Ｂの底部に形成された排水口２の開閉を遠隔的に行う、遠隔操作式排水栓装置であって、槽体Ｂ、排水栓１、弁部材１８、レリースワイヤ２０、操作部３０より構成されている。
【００２１】
槽体Ｂは上方が開放された箱状の浴槽であり、底部及び側面部には円形の孔部が開口され、底部の開口には排水栓１が取り付けられているとともに、側面部の開口には操作部３０が取り付けられている。
【００２２】
排水栓１は上端に鍔部を有する筒状部材であって、その内部において、槽体Ｂからの排水を排出する排水口２が形成されており、筒状部分の外周には雄螺子が螺刻されている。又、排水栓１は内部に形成された凸部にワイヤ受け１５が取り付けられている。排水栓１の筒状部分は上記槽体Ｂ底面に形成された開口に挿通され、槽体Ｂの裏面に配置された排水器５と螺合されている。
排水器５は上流側に螺刻された雌螺子によって排水栓１下端と螺合されているとともに、その下流側には、内部に流入した排水を更に下流側の配管（図示せず）へと排出する排出口７が下端に形成されている。又、排水器５は側方において枝管部６を備え、当該枝管部６は可撓性を有するオーバーフロー管１０を介して操作部３０と連結されている。
ワイヤ受け１５は爪部によって上記排水栓１の内部に形成された凸部に係止されており、レリースワイヤ２０端部の弁軸２６を固定する軸受部１６を備えている。
【００２３】
弁部材１８は外周面にパッキンが嵌着された蓋部材であり、図１に示すように、弁部材１８が下降している状態においては当該パッキンが排水栓１と当接することによって排水口２を水密に閉塞している。又、弁部材１８は裏面において弁軸２６の先端が嵌合されており、当該弁軸２６に突き上げられることによって上昇する。
【００２４】
レリースワイヤ２０はアウターチューブ２１、インナーワイヤ２２より構成された動作伝達部材であって、操作部３０側端部にワイヤ軸２３を、排水口２側端部に弁軸２６を備えている。
アウターチューブ２１は側面方向に可撓性を有する中空の樹脂製チューブであって、内部には側面方向に可撓性を有する金属の撚り線であるインナーワイヤ２２が摺動可能に配置されている。
【００２５】
ワイヤ軸２３はインナーワイヤ２２端部に接続された金属製の芯部材であって、支持筒２４の内部に摺動可能に配置されており、その上端が操作部３０に接続されている。
支持筒２４は硬質の樹脂材から成る筒状体であって、オーバーフローエルボ３１の固定部３４に支持されている。又、支持筒２４の下端にはアウターチューブ２１端部が連結されており、内部に上記ワイヤ軸２３、インナーワイヤ２２、及び戻りスプリング２５が配置されている。
戻りスプリング２５は下端が支持筒２４下端に形成された内鍔に当接しているとともに、上端がワイヤ軸２３の下端に当接しており、ワイヤ軸２３を上方に向けて付勢している。
ここで、ワイヤ軸２３及び支持筒２４はその中心軸が上下方向となるように配置されており、ワイヤ軸２３と支持筒２４とレリースワイヤ２０の操作部３０側端部の軸方向は後述するスイッチ部３５の摺動方向と略同一方向となっている。
【００２６】
弁軸２６はレリースワイヤ２０の排水口２側端部に形成された筒状体であって、外筒２７及び内筒２８から成る。外筒２７はアウターチューブ２１が連結された中空の筒状体であって、内部に内筒２８を収納すると共に、外側面がワイヤ受け１５の軸受部１６に係止されている。内筒２８はインナーワイヤ２２が連結された筒体であって、外筒２７内部において上下方向に摺動可能に配置されているとともに、内部にショックアブソーバスプリングが収納されている。又、内筒２８の上端は弁部材１８の裏面と嵌合されており、インナーワイヤ２２がアウターチューブ２１内を摺動することによって内筒２８が外筒２７より突出し、弁部材１８を上昇させることが可能となっている。尚、内筒２８が突出した状態で弁軸２６に対し上方より衝撃が加わった際には、上記ショックアブソーバスプリングが収縮することによって当該衝撃を吸収し、部材の破損を防ぐことができる。
【００２７】
図１乃至図６に示すように、操作部３０は槽体Ｂの側面部に形成された開口に取り付けられ、オーバーフローエルボ３１、スイッチ部３５、ロック機構４０、補助部材５０より構成されている。
【００２８】
図２及び図３に示すように、オーバーフローエルボ３１は管路が約９０度屈曲された略Ｌ字状の配管部材であって、上流側端部において外側方向に周設された鍔部を有するとともに、側面方向（図２における左方向）に向けて流入口３２が形成されており、下流側端部には下方に向けて流出口３３が形成されている。オーバーフローエルボ３１の流入口３２側の内周面には凸部が複数箇所形成されており、当該凸部にロック機構４０が係止されている。又、流出口３３側の内周面には一部に切り欠きを備えた略円形の固定部３４が形成されており、当該固定部３４にはレリースワイヤ２０の支持筒２４が取り付けられている。固定部３４は略Ｕ字状であって、その内径は支持筒２４の内径と略同一である。
【００２９】
スイッチ部３５は図３及び図４に示すように、押動部３６、支承部３７、接続部３８を備えており、使用者操作を行われた際、槽体Ｂの内面に沿って上下に摺動可能となっている。
押動部３６は槽体Ｂ内部に突出された上面及び側面より成り、断面視略Ｌ字状であって内部にロック機構４０が配置されている。又、押動部３６は下方が開放されており、槽体Ｂの湯水が流入口３２へと流入可能となっている。尚、押動部３６は図４（ａ）に示すように正面視略矩形状であって、補助部材５０のガイド部５２間に配置されているとともに、弁部材１８が下降状態にある時、その上端及び下端が隣接するガイド部５２と面一となるよう形成されている。
支承部３７は押動部３６裏面（図２における右方）よりオーバーフローエルボ３１内へと延設されており、端部において接続部３８が形成されている。
接続部３８は断面視略Ｌ字状であって、ワイヤ軸２３の先端が当接しており、押動部３６に加えられた操作をワイヤ軸２３へと伝達する。
上記の通り、スイッチ部３５は押動部３６がロック機構４０と、接続部３８はレリースワイヤ２０と当接しており、押動操作によってスイッチ部３５が下降した際には、レリースワイヤ２０及びロック機構４０を同時に可動させることが可能となっている。
【００３０】
図２及び図３に示すように、ロック機構４０はスラストロック機構と呼ばれる保持機構であって、ケーシング内周に固定ギアが形成されているとともに、ケーシングの中心に回転ギアを備えたロック軸４１が配置されている。
ロック軸４１はケーシング上面を貫通し、押動部３６上面の裏側まで延設されているとともに、ケーシング内部を上下動可能に配置されており、回転ギアが回動可能且つロック軸４１に対して上下動不能に取り付けられている。ロック機構４０は当該ロック軸４１が下降した際、回転ギアと固定ギアの噛合によってロック軸４１の下降状態を保持することが可能となっている。
上記ロック機構４０はスイッチ部３５内部に配置されており、ロック軸４１の上端が押動部３６上面の裏側に当接している。又、ロック軸４１の軸方向が上下方向となるように配置されていることから、ロック軸４１の軸方向とスイッチ部３５の摺動方向、及びレリースワイヤ２０端部の軸方向は略平行（略同一）となっている。尚、ロック機構４０は槽体Ｂの内側に配置されていることから、ロック軸４１の中心軸とレリースワイヤ２０の操作部３０側端部の中心軸は異なる位置となるように配置されている。
図５に示すように、上記ロック機構４０はケーシング外側において、環状部４２が一体に形成されている。環状部４２は外径が流入口３２と略同一であって、爪部がオーバーフローエルボ３１内の凸部と係合されることによってオーバーフローエルボ３１内に固定されている。
【００３１】
補助部材５０は図６に示すように、下方から上方にかけて切り欠き部５１が形成された平面視略Ｕ字状であって、平面視略矩形状のガイド部５２が両端に立設されている。
ここで、補助部材５０は図２及び図４等に示すように、ガイド部５２の長手方向が上下方向を向くようにして切り欠き部５１がオーバーフローエルボ３１の鍔部裏面に差し込まれており、槽体Ｂ側壁とオーバーフローエルボ３１の鍔部によって挟持されている。
【００３２】
上記遠隔操作式排水栓装置は、以下のように施工される。尚、以下に説明する施工手順において、排水器５より下流側の排水配管についてはその記載を省略する。
【００３３】
まず、槽体Ｂ底部に形成された開口に排水栓１及び排水器５を取り付けた後、補助部材５０の切り欠き部５１を差し込んだ状態で槽体Ｂ側面部に形成された開口にオーバーフローエルボ３１を取り付け、オーバーフロー管１０を排水器５の枝管部６とオーバーフローエルボ３１の流出口３３に接続する。この時、排水口２から流入した排水が流れる排水流路と、流入口３２から流入した排水が流れるオーバーフロー流路が形成される。尚、オーバーフローエルボ３１の鍔部裏面は図示しない位置決め機構が備えられており、ガイド部５２の長手方向が上下方向を向くように配置される。
次に、図７に示すように、レリースワイヤ２０の弁軸２６側を、流入口３２を通じてオーバーフローエルボ３１内へと挿入し、固定部３４にレリースワイヤ２０の支持筒２４を取り付ける。この時、レリースワイヤ２０はオーバーフロー管１０によってガイドされて、弁軸２６が枝管部６より排水器５内に到達する。当該弁軸２６を排水口２より槽体Ｂ内に取り出し、弁軸２６をワイヤ受け１５に固定した後、当該ワイヤ受け１５の爪部を排水栓１の凸部に係合させて固定する。
そして、図８に示すように、ロック機構４０を流入口３２より挿入し、オーバーフローエルボ３１内に固定した後、図９に示すように、スイッチ部３５を流入口３２に取り付ける。この時、スイッチ部３５は補助部材５０のガイド部５２の間に配置され、上下方向にのみ摺動可能となるようガイドされるとともに、接続部３８にワイヤ軸２３先端が当接し、スイッチ部３５の摺動がワイヤ軸２３に伝達可能となる。
最後に、弁軸２６に弁部材１８を嵌合させて施工が完了する。
【００３４】
上記本願発明の遠隔操作式排水栓装置において、ロック機構４０のメンテナンスを行う際には、スイッチ部３５を取り外すことでオーバーフローエルボ３１よりロック機構４０が着脱可能となり、メンテナンスを行うことができる。又、レリースワイヤ２０のメンテナンスを行う際には、上記ロック機構４０を取り外した後、ワイヤ受け１５を排水栓１から取り外し、ワイヤ受け１５と弁軸２６の固定を解除し、支持筒２４を固定部３４から取り外す。そして、流入口３２よりレリースワイヤ２０を引き出すことでメンテナンスを行うことができる。
尚、本願発明においては、ロック機構４０とレリースワイヤ２０が直接接続されてはいないため、ロック機構４０のみを取り外してメンテナンスを行うことが可能である。
【００３５】
以下に、本願発明の遠隔操作式排水栓の動作及び湯水の流れについて説明する。
【００３６】
まず、図１に示すように、弁部材１８が下降している状態においては、弁部材１８の周囲に嵌着されたパッキンが排水栓１の上面と水密に当接しており、槽体Ｂ内に湯水を貯留することが可能となっている。
上記弁部材１８の下降状態より、使用者によってスイッチ部３５の押動部３６上面が下方へ向けて押動されると、支承部３７を介して接続部３８及びワイヤ軸２３が押し下げられる。インナーワイヤ２２はワイヤ軸２３と接続されているため、ワイヤ軸２３の押し下げに伴いアウターチューブ２１内を弁部材１８側へ向けて摺動し、内筒２８が外筒２７より突出することによって弁部材１８を上昇させる。この時、図１０に示すように、押動部３６の押し下げに伴いロック軸４１も下降しており、ロック軸４１の下降に伴って回転ギアが回動し、固定ギアと噛合することによって弁部材１８の上昇状態が保持される。尚、図４（ｂ）に示すように、弁部材１８が上昇状態にある時、スイッチ部３５は平面視において、押動部３６が隣接するガイド部５２よりも下方に位置し、使用者はスイッチ部３５を目視することで弁部材１８の状態を把握することができる。
【００３７】
上記弁部材１８の上昇状態より、再び使用者によってスイッチ部３５の押動部３６上面が下方へ向けて押動されると、支承部３７、接続部３８、ワイヤ軸２３、インナーワイヤ２２も下降し、弁部材１８がやや上昇する。この時、ロック軸４１が再び下降することによって回転ギアが回動し、上記固定ギアとの噛合が解除される。従って、押動部３６への押動操作が終了すると、弁部材１８は自重及び戻りスプリング２５の弾性によって下降し、押動部３６も図４（ａ）に示すように、上端及び下端が隣接するガイド部５２の上端及び下端と略面一となる位置に復帰する。この時、弁部材１８に嵌着されたパッキンは再び排水栓１上面と水密に当接し、排水口２が閉口される。
【００３８】
上記のように、弁部材１８が上昇状態にある時、槽体Ｂ内に貯留された湯水は排水口２より排水栓１内に流入し、排水器５を介して図示しない更に下流側の排水配管へと排出される。
一方、弁部材１８が下降状態にある時には槽体Ｂ内に湯水が貯留可能となる。ここで、流入口３２の下端を超えて槽体Ｂ内に湯水が貯留されると、当該湯水は押動部３６下端から流入口３２、及びオーバーフローエルボ３１内へと流入し、オーバーフロー管１０を通じて枝管部６より排水器５へと流入し、図示しない更に下流側の排水配管へと排出される。この時、本願発明においては、オーバーフロー流路内にロック機構４０が配置されていないため、オーバーフロー流路の排水流量が低下することはない。
【００３９】
上記本願発明の遠隔操作式排水栓装置においては、ロック機構４０が槽体Ｂの内側に配置されているため、容易にメンテナンスを行うことができる。又、本願発明においては、レリースワイヤ２０とロック機構４０がそれぞれ独立して配置されており、直接接続されていないため、ロック機構４０のみを取り外してメンテナンスを行うことも可能である。
又、ロック軸４１の軸方向とスイッチ部３５の摺動方向が共に上下方向であり、互いに略同一方向（略平行）であるため、ロック機構４０が槽体Ｂの内側に配置されていても、操作部３０の槽体Ｂ内側への突出幅も短くすることができる。更に、本願発明においてはレリースワイヤ２０の操作部３０側端部の軸方向も上下方向となっているため、レリースワイヤ２０が屈曲される必要がなく、動作不良や部材の破損を防ぐことができる。
【００４０】
本願発明の第一実施形態は以上であるが、本願発明は上記第一実施形態の構成に限られるものではなく、発明の要旨を逸脱しない範囲において種々の形状変更を行うことが可能である。尚、以下に示す他の実施形態において、特に説明の無い限り、第一実施形態と同一の構成に対しては同一の番号を付してその説明を省略している。
【００４１】
上記第一実施形態において、インナーワイヤ２２は金属の撚り線であったが、当該金属の撚り線は引張応力に対しては耐性が高いが、圧縮応力に対する耐性が低い。従って、図１１及び図１２に示す第二実施形態のように、スイッチ部３５に対して押動操作が加わった際、レリースワイヤ２０が操作部３０側に引き上げられるように構成しても良い。
第二実施形態に係る遠隔操作式排水栓装置は、オーバーフローエルボ３１内部に回転部材６０を有し、スイッチ部３５の接続部３８及びワイヤ軸２３は回転部材６０と係合するギア部を備えている。
上記第二実施形態は、押動部３６が押し下げられた際、接続部３８は回転部材６０を介してワイヤ軸２３を上昇させ、インナーワイヤ２２を引き上げる構造となっている。従って、図１１に示すように、ロック軸４１が下降している状態の時に弁部材１８は下降状態となり、排水口２が閉口される。一方、図１２に示すように、ロック軸４１が上昇している状態の時、弁部材１８は上昇状態となり、排水口２が開口される。ここで、第一実施形態においては、弁部材１８が下降している状態には押動部３６が隣接するガイド部５２と上端及び下端が略面一となっていたが、第二実施形態においては、弁部材が上昇している状態には押動部３６が隣接するガイド部５２と上端及び下端が略面一となる。
上記第二実施形態は、インナーワイヤ２２に対し、押動操作が直接圧縮方向に加わることを防ぐ構造となっている。従って、押動操作時に瞬間的に強く加わる圧縮方向の応力を回避することによって、インナーワイヤ２２の破損を防止することができる。
【００４２】
尚、第一及び第二実施形態において、ロック軸４１が上昇している状態の時に押動部３６の上端及び下端が隣接するガイド部５２と略面一となっていたが、ロック軸４１が下降している状態の時に押動部３６の上端及び下端が隣接するガイド部５２と略面一となっても良いものである。即ち、第一及び第二実施形態において、押動部３６は隣接するガイド部５２に対して下方に対して突出していたが、ロック軸４１が上昇した際、押動部３６は隣接するガイド部５２に対して上方に突出した状態となっても良いものである。
【００４３】
又、第一実施形態においては、オーバーフローエルボ３１は１つの部材より構成されており、槽体Ｂ裏面よりナットにより螺合されていたが、図１３に示す第三実施形態のように、オーバーフローエルボ３１を２つ部材から構成しても良い。この場合においては、槽体Ｂ内側より螺合を行うことが可能となり、オーバーフローエルボ３１の取り付けが容易となる。
【００４４】
又、上記各実施形態において、ロック機構４０はケーシングが流入口３２に固定されており、ロック軸４１が押し下げられる構造であったが、図１４に示す第四実施形態のように、ロック軸４１が流入口３２に固定されており、ケーシングが押し下げられる構造であっても良い。
【００４５】
又、上記各実施形態において、スイッチ部３５の摺動方向は上下方向であったが、左右方向に摺動しても良い。この場合においては、ロック軸４１の軸方向を左右方向にすることによって、装置の大型化を防ぐ構造を採っても良い。
又、レリースワイヤ２２の操作部３０側端部も水平方向にしても良い。この場合、槽体Ｂ裏側の空間は水平方向に対してある程度の幅を有するため、レリースワイヤ２０を大きな曲げ半径で屈曲することが可能となる。尚、ここにいう「左右方向」とは、図２における左右方向ではなく、図４における左右方向を指すものである。即ち、図４に示すスイッチ部３５及び補助部材５０を９０度回転させ、スイッチ部３５を左右方向に摺動させる構造であっても良い。この場合、ロック機構４０及びワイヤ軸２３もスイッチ部３５の摺動方向に伴い９０度回転された向きに配置されると好適である。
【００４６】
本発明は上記各実施形態において、オーバーフロー流路を有する槽体に取り付けられていたが、本発明が施工される槽体は当該槽体に限られるものではない。又、本発明はキッチンシンクや洗面ボウル等の槽体に取り付けられても良い。
【符号の説明】
【００４７】
１      排水栓
２      排水口
５      排水器
６      枝管部
７      排出口
１０    オーバーフロー管
１５    ワイヤ受け
１６    軸受部
１８    弁部材
２０    レリースワイヤ
２１    アウターチューブ
２２    インナーワイヤ
２３    ワイヤ軸
２４    支持筒
２５    戻りスプリング
２６    弁軸
２７    外筒
２８    内筒
３０    操作部
３１    オーバーフローエルボ
３２    流入口
３３    流出口
３４    固定部
３５    スイッチ部
３６    押動部
３７    支承部
３８    接続部
４０    ロック機構
４１    ロック軸
４２    環状部
５０    補助部材
５１    切り欠き部
５２    ガイド部
６０    回転部材
Ｂ      槽体
【図１】
0006682072.tif 000002
【図２】
0006682072.tif 000003
【図３】
0006682072.tif 000004
【図４】
0006682072.tif 000005
【図５】
0006682072.tif 000006
【図６】
0006682072.tif 000007
【図７】
0006682072.tif 000008
【図８】
0006682072.tif 000009
【図９】
0006682072.tif 000010
【図１０】
0006682072.tif 000011
【図１１】
0006682072.tif 000012
【図１２】
0006682072.tif 000013
【図１３】
0006682072.tif 000014
【図１４】
0006682072.tif 000015